(57)【特許請求の範囲】
【請求項１】
収納凹所を有する容器本体と蓋体とを各後端部で蝶着ピンによって蝶着した蝶番部を有すると共に各先端部で開閉可能に係着し、蓋体側蝶番片の下端部が円弧に形成されていると共に前記容器本体の蝶番凹所の後壁には収容部が形成され、前記収容部には弾性体から成る制動部材が収容されており、前記蓋体が開かれたとき、前記蓋体側蝶番片の下端部が前記制動部材に接触して蓋体が所定の開き位置に保持されるコンパクト容器において、前記円弧の中心が回転軸より下方位置にあるとともに前記蝶番部に前記蓋体を開き方向に付勢する捲きバネを装着し、且つ前記蓋体側蝶番片の下端部と制動部材とは閉蓋時に所定の間隔を有して配置され、前記容器本体と蓋体における先端部の係着を解除したとき、前記蓋体が自動的に前記捲きバネの付勢力で急速に開蓋し、回転軸を中心とした前記蓋体側蝶番片の下端部までの距離が蝶番側方から下方へ向けて次第に拡径して 前記蓋体が設定した角度まで開かれたときに前記蓋体側蝶番片の下端部が前記制動部材に接触を開始して減速され、接触量が増して捲きバネの力に抵抗して停止し、所定の開き角度に蓋体が開成保持されることを特徴とするコンパクト容器。
【請求項２】
収容部には前後方向と下方向へ貫通する貫通孔が穿設され、制動部材には前記下方向貫通孔に係止する下方係合部と前記収容部から後方へ突出する突出部が形成されていることを特徴とする請求項１記載のコンパクト容器。
【請求項３】
制動部材の両側には支持板部が一体に延設されていると共に、収容部の開口部には前記支持板部がはめ込まれる凹壁部が形成されていることを特徴とする請求項１又は請求項２記載のコンパクト容器。
【発明の詳細な説明】
【０００１】
【発明の属する技術分野】
本発明は、ファンデーションやチーク、マスカラ、リップ、アイシャドウ等の化粧料を収納する携帯使用に便利なコンパクト容器に関する。
【０００２】
【従来技術】
従来より、一般的なコンパクト容器は、化粧料を収納した容器本体と、内面に化粧用鏡を貼着した蓋体とを有し、それぞれの後端部を蝶着ピンで蝶着すると共に前端部を開閉可能に係合機構で係着し、係合を解除する為の係合解除部材を装着して構成されている。使用する際は、係合解除部材を操作して係合を解除し、蓋体を化粧のし易い任意の角度に開き止めて化粧用鏡を見ながら化粧を行うようになっている。
【０００３】
また、従来のコンパクト容器は、係合解除部材によって係合を解除した直後の状態の開蓋角度が極めて小さいことから、蓋体に指をかけにくく開きづらい為、蝶番部に弾性体を組み込み、係合を解除した際、弾性体の復元力で蓋体が自動的に操作し易い角度に開くようにしたものが多用されている。
【０００４】
捲きバネを使用したものは、簡単な構造で蓋体の開き角度を大きくできるので指がかけ易く、また、開く操作が少なくてすむ利点があるが、バネ圧により蓋体が急速に開く為、開き終わり角度がまちまちであるうえに、扁平なコンパクト容器の形状も相まって、開蓋時の勢いで不用意に手から落としてしまうなどの欠点があった。
【０００５】
また、実公昭６２−３９７９１号公報には、蓋体側の蝶番側面にＵ字形の弾性片を付設し、蓋体の係合を解除すると変形蓄勢状態にある弾性片が正常のＵ字形に復帰する弾性復元力により蓋体を開くと共に、弾性片と容器本体側蝶番片との摩擦抵抗により任意の開蓋角度に保持できる構成のものが提案されている。
【０００６】
しかしながら、この弾性片によるものは、蓋体を任意の角度に保持できるものの、弾性片による弾性復元力の及ぶ作動範囲が小さいことから、係合解除直後の蓋体の開き角度が不充分であり、所望の開蓋角度に開く迄、摩擦抵抗を伴った開蓋操作をする距離が長く残るという欠点があった。
【０００７】
また、実公平７−４４２４６号公報には、容器本体と蓋体とを、その後端部でトーションバーや抵抗付与体を組み込んだ特殊なヒンジ部材を用いて回動自在に蝶着し、蓋体の係合を解除すると、特殊なヒンジ部材により、ゆっくり開蓋し、開く勢いで不用意に手から落としてしまう心配を解消したものが提案されている。
【０００８】
この特殊なヒンジ部材によるものは、捲きバネや弾性片を付設したものと比較して改善された作動をするものの、自動的に開蓋に要する時間が長くかかり簡便さに欠けていた。また、特殊なヒンジ部材の構成部品数が多く、且つ複雑な組立工程を要することから、従来の蝶着ピンで蝶着したものに比較してかなり高価になり、経済的に大変不利になる欠点を有している。
【０００９】
【発明が解決しようとする課題】
本発明は、上記の問題に鑑みてなされたもので、係合が解除された蓋体を手から取り落とす心配なく速やかに所定角度に開蓋し、且つ化粧のし易い任意の開き角度に円滑に開いて保持できる経済的な構成のものを提供することにある。
【００１０】
【課題を解決するための手段】
本発明は、 収納凹所を有する容器本体と蓋体とを各後端部で蝶着ピンによって蝶着した蝶番部を有すると共に各先端部で開閉可能に係着し、蓋体側蝶番片の下端部が円弧に形成されていると共に前記容器本体の蝶番凹所の後壁には収容部が形成され、前記収容部には弾性体から成る制動部材が収容されており、前記蓋体が開かれたとき、前記蓋体側蝶番片の下端部が前記制動部材に接触して蓋体が所定の開き位置に保持されるコンパクト容器において、前記円弧の中心が回転軸より下方位置にあるとともに前記蝶番部に前記蓋体を開き方向に付勢する捲きバネを装着し、且つ前記蓋体側蝶番片の下端部と制動部材とは閉蓋時に所定の間隔を有して配置され、前記容器本体と蓋体における先端部の係着を解除したとき、前記蓋体が自動的に前記捲きバネの付勢力で急速に開蓋し、回転軸を中心とした前記蓋体側蝶番片の下端部までの距離が蝶番側方から下方へ向けて次第に拡径して 前記蓋体が設定した角度まで開かれたときに前記蓋体側蝶番片の下端部が前記制動部材に接触を開始して減速され、接触量が増して捲きバネの力に抵抗して停止し、所定の開き角度に蓋体が開成保持されることから、手動操作により化粧をし易い所望の角度に迄スムースに開くことができると共に、その角度を確実に保持することができる。
【００１１】
上記の構成としたことで、係合解除された蓋体は、自動的に捲きバネの付勢力で急速に開蓋し、開蓋時当初は、回転軸を中心とした円弧までの距離が蝶番側方から下方へ向けて次第に拡径していく構造であるため、設定角度で制動部材に接触して減速され、接触量が増して捲きバネの力に抵抗して停止する。停止した後は、前後方向への弾発性を有する制動部材と蓋体体側蝶番板片の円弧の下端部とが弾性接触していることから、手動操作により化粧をし易い所望の角度に迄スムースに開くことができると共に、その角度を確実に保持することができる。
【００１２】
また、収容部には前後方向と下方向へ貫通する貫通孔が穿設され、制動部材には前記下方向貫通孔に係止する下方係合部と前記収容部から後方へ突出する突出部が形成されていることを特徴としている。
【００１３】
また、制動部材の両側には支持板部が一体に延設されていると共に、収容部の開口部には前記支持板部がはめ込まれる凹壁部が形成されており、制動部材は、凹壁部にはめ込まれた支持板部と、下方向の貫通孔に挿入された下方係合部とで、突出部の後方が固定されることなく収容部内に支持されている。従って、材質固有の弾性復元力に加えて支持部を介して弾発することから、極めて柔軟な弾性効果を得ることができ、蓋体を感触良く開閉することができる。
【００１４】
【発明の実施の形態】
以下、本発明のコンパクト容器の好適な実施の形態を添付図面を参照しながら詳細に説明する。
【００１５】
図１乃至図６は、本発明のコンパクト容器の実施の形態を示しており、化粧料やパフ等の収納凹所２を有する上面を開放した函状の容器本体１と、裏面に化粧用鏡２１を貼着した伏皿状の蓋体２０とを有し、それぞれの各後端部を蝶着ピン３０によって蝶着して蝶番部３を形成すると共に、先端部を開閉可能に蓋体側フック２４と本体側フック１３とから成る係合機構４で係着し、該係合機構４の下方に係合を解除する為の係合解除部材３１を装着して構成されている。
【００１６】
蓋体２０の後端部に垂設された蓋体側蝶番片２２は、その一側に捲きバネ用の収納凹部２３が設けられており、該収納凹部２３には捲きバネ３２が蓋体２０を開き方向へ付勢する状態にその一端を容器本体１の係止孔５に係止して組み込まれている。
【００１７】
また、蓋体側蝶番片２２は、その下端２２ａが円弧に形成されていると共に、該円弧の中心３３が蝶着ピン３０による回転軸より下方位置にある。
【００１８】
容器本体１の後端部には、その両側後方へ突出する容器本体側蝶番片６、６と後壁７とで蝶番凹所８が形成されており、該蝶番凹所８に嵌合する蓋体側蝶番片２２が蝶着されて蝶番部３が形成されている。
【００１９】
また、蝶番凹所８を形成している前記後壁７には、底板上面２ａに沿って前後方向へ貫通する貫通孔９と該貫通孔９から下方向へ貫通する貫通孔１０が穿設されて成る制動部材１５を装着するための収容部１１が形成されており、収容部１１の開口部両側には制動部材１５の支持板部１５ａ、１５ａがはめ込まれる凹壁部１２、１２が形成されている。
【００２０】
制動部材１５は、蓋体２０を制動し得る弾性体であれば材質上、表面状態等に特に制限はなく、ウレタン樹脂、シリコーン樹脂、フルオロシリコーンゴム、天然ゴム、合成ゴム等のエラストマーやゴム材でその全部または一部を形成することができる。表面も平滑、つや消し、凹凸等とすることができる。また、その両側には前記支持板部１５ａ、１５ａが一体に延設されていると共に、下方向貫通孔１０の下向き段部１０ａと係止するフック状の下方係合部１５ｂが垂設され、収容部１１に収容された状態にあるとき、該収容部１１から後方へ突出する突出部１５ｃが突設されて形成されている。
【００２１】
収容部１１内に装着された状態の制動部材１５は、凹壁部１２、１２にはめ込まれた支持板部１５ａ、１５ａと下方向の貫通孔１０に係止する下方係合部１５ｂとで支持されており、開蓋時に蓋体側蝶番板片２２の下端２２ａと当接する突出部１５ｃの後方はフリーの状態にあって固定されておらず、材質固有の弾性復元力に加えて支持部を介して前後方向へ弾発するように収容部１１内に固定されている。尚、収容部１１を形成する貫通孔９、１０の双方、或いはその一方を凹所に形成し（図示省略）、該凹所に制動部材１５を圧入或いは接着させる構成としてもよい。
【００２２】
図６は、蝶番部３の作動過程を示しており、図６（ａ）に示すように、閉蓋状態では、蓋体側蝶番片２２と制動部材１５とは非接触状態にあり、制動部材１５を永久変形させる心配なく閉蓋状態が維持される。
【００２３】
係合解除部材３１を押圧して係合機構４の係合を解除すると、蓋体２０は捲きバネ３２の弾性復帰力によって自動的に開き方向へ急速に回動し、蝶番片２２下端の円弧の中心３３が回転軸より下方位置にあることによって回転軸を中心とした円弧までの距離が蝶番側方から下方へ向けて次第に拡径するので、４５度近傍に開かれたとき、図６（ｂ）に示すように、蓋体側蝶番片２２の円弧の下端部２２ａが制動部材１５の突出部１５ｃに接触を開始し、次第に制動力が強く働いて蓋体２０は減速されて停止する。
【００２４】
従って、開蓋時の勢いで不用意に手から落としてしまう心配がなく、且つ開き始めは素早く回動するので開蓋時間を待つことが少なく使用者にとって使用勝手が良い。尚、本実施の形態では、蓋体側蝶番片２２の下端部２２ａを円弧としているが、開蓋時の減速の仕方やフリーストップの感触を選考し、これに対応して下端部２２ａの形状を変えても良いことは言うまでもない。
【００２５】
図６（ｃ）に示すように、蓋体２０を９０度開いたとき、蓋体側蝶番片２２の下端が制動部材１５の突出部１５ｃと最も強く圧接するが、制動部材１５はその材質固有の弾性復元力に加えて支持部を介して前後方向へ弾発性を有していることから、極めて柔軟な弾性抵抗を受けて蓋体２０の開閉手動操作がスムース行われる。また、制動部材１５の弾性復帰力が充分に働いて蓋体２０を所望の位置に保持するフリーストップを確実にしている。
【００２６】
【発明の効果】
本発明は、以上説明したような形態で実施され、以下に記載されるような効果を奏する。
【００２７】
本発明によれば、蓋体の係合を解除すると、蓋体が自動的に且つ急速にほぼ４５度近傍に開放され、続く手動開蓋操作によって極めてスムースに所望の角度に開いてその角度を確実に保持できるようにしたので、使用者が開蓋時の勢いで不用意に手から落としてしまう心配がなく、また、開蓋時間を待つことがないので、使用者にとって使用勝手が極めて良好である。
【００２８】
また、従来例のように、複雑にして高価な蝶番部材を用いることもなく、蝶着ピン、捲きバネ、弾性体による制動部材、という簡単な部材の組合せで蝶番部を構成したので、経済的に有利である。
【図面の簡単な説明】
【図１】本発明のコンパクト容器の実施の形態を示す縦断面図。
【図２】図１の容器の蝶番部における捲きバネの装着状態を示す説明図。
【図３】図１の容器における蓋体の蝶番部を示す分解斜視図。
【図４】図１の容器における容器本体の蝶番部を示す分解斜視図。
【図５】図１の容器における蝶番部を後方から示す分解斜視図。
【図６】図１の容器における蝶番部の作動過程を示すもので、（ａ）は閉蓋状態の断面図。（ｂ）は４５度開蓋状態の断面図。（ｃ）は９０度開蓋状態の断面図。
【符号の説明】
１  容器本体，２  収納凹所，３  蝶番部，７  後壁，８  蝶番凹所，９  前後方向の貫通孔，１０  下方向の貫通孔，１１  収容部，１２、１２  凹壁部，１５  制動部材，１５ａ、１５ａ  支持板部，１５ｂ  下方係合部，１５ｃ  突出部，２０  蓋体，２１  化粧用鏡，２２  蓋体側蝶番片，２２ａ  下端，３０蝶着ピン，３２  捲きバネ，３３  円弧の中心
【図１】
0004105476.tif 000002
【図２】
0004105476.tif 000003
【図３】
0004105476.tif 000004
【図４】
0004105476.tif 000005
【図５】
0004105476.tif 000006
【図６】
0004105476.tif 000007